(57)【要約】【課題】見開き動作に追従して紙面からほぼ垂直に立体的に飛び出るとともに、より立体的な視覚効果が得られるポップアップ装置を提供する。【解決手段】中央の折り線を挟んでＶ字状に折り畳まれるベースシート１１０と、ベースシート１１０の折り線を挟んで対向する一方の辺から延設され、山折りと谷折りとが交互に繰り返されて折り畳まれる第１アーム片１２０と、ベースシート１１０の折り線を挟んで対向する他方の辺から延設され、山折りと谷折りとが交互に繰り返されて折り畳まれる第２アーム片１３０とを備え、各アーム１２０，１３０片の山折り線と谷折り線によって折り畳まれる要素片には、それぞれ開口部が設けられており、第１アーム辺１２０の各要素片と、第２アーム片１３０の各要素片とが、そのほぼ中央で相欠き継ぎによってＸ字状に連結する。【選択図】図１１
2013135725.tif 000002
【特許請求の範囲】
【請求項１】
ベースシートと、上記ベースシートを挟んで対向する一方の辺から延設され、山折りと谷折りとが交互に繰り返されて折り畳まれる第１アーム片と、上記ベースシートの上記折り線を挟んで対向する他方の辺から延設され、山折りと谷折りとが交互に繰り返されて折り畳まれる第２アーム片とを備え、上記各アーム片の山折り線と谷折り線によって折り畳まれる各要素片には、それぞれ開口部が設けられており、上記第１アーム辺の各要素片と、上記第２アーム片の各要素片とが、そのほぼ中央で相欠き継ぎによってＸ字状に連結されていることを特徴とするポップアップ装置。
【請求項２】
上記各要素片の開口部の内周面および上記要素片の外周面には、上記相欠き継ぎ用の切欠部が形成されていることを特徴とする請求項１に記載のポップアップ装置。
【請求項３】
一端が上記ベースシートと上記第１アーム片との境界線付近に接続され、他端が上記ベースシートと上記第２アーム片との境界線上を通って対角線状に引き出される第１リンクアームと、一端が上記ベースシートと上記第２アーム片との境界線付近に接続され、他端が上記ベースシートと上記第１アーム片との境界線上を通って対角線状に引き出される第２リンクアームとを有し、上記第１アームと上記第２アームの先端を互いに離反させる方向に引っ張ることにより、上記ベースシートが、中央の折り線を挟んでＶ字状に折り畳まれるとともに、上記第１アーム片および上記第２アーム片が上記相欠き継ぎを支軸とするＸアーム構造によって伸張することを特徴とする請求項１または２に記載のポップアップ装置。
【請求項４】
上記第１アーム片および上記第２アーム片は、上記要素片が少なくとも１以上設けられていることを特徴とする請求項１，２または３に記載のポップアップ装置。
【請求項５】
上記第１アーム片の自由端側にはさらに、第１拡張アーム片が着脱自在に設けられており、上記第２アーム片の自由端側にはさらに、第２拡張アーム片が着脱自在に設けられており、上記第１拡張アーム片と上記第２拡張アーム片とが、そのほぼ中央で相欠き継ぎによりＸ字状に連結されていることを特徴とする請求項１ないし４のいずれか１項に記載のポップアップ装置。
【請求項６】
所定の見開きページを有する台紙をさらに備え、いずれか一方の上記見開きページに上記第１リンクアームの自由端側が固定され、いずれか他方の上記見開きページに上記第２リンクアームの自由端側が固定されており、上記見開きページの開閉に伴い、上記各アーム片が伸張することを特徴とする請求項１〜５のいずれか１項に記載のポップアップ装置。
【請求項７】
一端が上記ベース部側に固定され、他端が上記開口部を通って上記アーム片の先端側に取り付けられ、上記アーム片の伸張に伴って上記ベースシート側から上記アーム片の先端に向かって伸張する装飾部が設けられていることを特徴とする請求項１ないし６のいずれか１項に記載のポップアップ装置。
【発明の詳細な説明】
【技術分野】
【０００１】
本発明は、例えば絵本や葉書などに組み込まれるポップアップ装置に関し、さらに詳しく言えば、ページの見開き動作に追従して立体的に飛び出るポップアップ装置に関する。
【背景技術】
【０００２】
子供向け雑誌や絵本の一部には、ページを開くことで、動物などのイラストが飛び出す、いわゆるポップアップ絵本が視覚的に用いられている。例えば特許文献１に示すように、これらポップアップ絵本の多くは、見開き動作に追従して、折り畳まれたポップアップ装置が立体的に起き上がるようになっている。
【０００３】
ところで、この種のポップアップ装置は、展開する際に一部が引っかかるなど展開されにくいことが多く、無理矢理に展開させようとすると、破損などしてしまう場合があった。また、従来のポップアップ装置は、例えば見開き面に対して斜めに飛び出るタイプが主流であって、紙面からほぼ垂直に伸張されるようにしたものは少なかった。
【０００４】
また、従来のポップアップ装置は、折り畳まれたシート片が起立することで立体的に展開されるようになっているが、板状のシート片が起こされるため、あくまで２次元的な立体であり、奥行きなどが表現された３次元的な立体物を作ることは難しかった。
【０００５】
また、特許文献２には、山折りと谷折りに交互に折り畳んだ２枚のシート片を相欠きによって蛇腹状に連結して、２枚のシート片によって囲まれた空間に展示物を置くことができる表示ポップが開示されている。
【０００６】
これによれば、展示物をスタイリッシュに展示することができるが、この表示ポップはあくまで物品を展示するために用いられるものであって、折り畳んだ状態から伸張させることは考慮されていない。
【先行技術文献】
【特許文献】
【０００７】
【特許文献１】特開２００４−２０９１１４号公報
【特許文献２】特開平９−２２２５３号公報
【発明の概要】
【発明が解決しようとする課題】
【０００８】
そこで、本発明は、見開き動作に追従して紙面からほぼ垂直に立体的に飛び出るとともに、より立体的な視覚効果が得られるポップアップ装置を提供することにある。
【課題を解決するための手段】
【０００９】
上述した目的を達成するため、本発明は以下に示すいくつかの特徴を備えている。第１の発明は、ベースシートと、上記ベースシートを挟んで対向する一方の辺から延設され、山折りと谷折りとが交互に繰り返されて折り畳まれる第１アーム片と、上記ベースシートの上記折り線を挟んで対向する他方の辺から延設され、山折りと谷折りとが交互に繰り返されて折り畳まれる第２アーム片とを備え、上記各アーム片の山折り線と谷折り線によって折り畳まれる各要素片には、それぞれ開口部が設けられており、上記第１アーム辺の各要素片と、上記第２アーム片の各要素片とが、そのほぼ中央で相欠き継ぎによってＸ字状に連結されていることを特徴としている。
【００１０】
第２の発明は、上記各要素片の開口部の内周面および上記要素片の外周面には、上記相欠き継ぎ用の切欠部が形成されていることを特徴としている。
【００１１】
第３の発明は、一端が上記ベースシートと上記第１アーム片との境界線付近に接続され、他端が上記ベースシートと上記第２アーム片との境界線上を通って対角線状に引き出される第１リンクアームと、一端が上記ベースシートと上記第２アーム片との境界線付近に接続され、他端が上記ベースシートと上記第１アーム片との境界線上を通って対角線状に引き出される第２リンクアームとを有し、上記第１アームと上記第２アームの先端を互いに離反させる方向に引っ張ることにより、上記ベースシートが中央の折り線を挟んでＶ字状に折り畳まれるとともに、上記第１アーム片および上記第２アーム片が上記相欠き継ぎを支軸とするＸアーム構造によって伸張することを特徴としている。
【００１２】
第４の発明は、上記第１アーム片および上記第２アーム片は、上記要素片が少なくとも１以上設けられていることを特徴としている。
【００１３】
第５の発明は、上記第１アーム片の自由端側にはさらに、第１拡張アーム片が着脱自在に設けられており、上記第１アーム片の自由端側にはさらに、第２拡張アーム片が着脱自在に設けられており、上記第１拡張アーム片と上記第２拡張アーム片とが、そのほぼ中央で相欠き継ぎによりＸ字状に連結されていることを特徴としている。
【００１４】
第６の発明は、所定の見開きページを有する台紙をさらに備え、いずれか一方の上記見開きページに上記第１リンクアームの自由端側が固定され、いずれか他方の上記見開きページに上記第２リンクアームの自由端側が固定されており、上記見開きページの開閉に伴い、上記各アーム片が伸張することを特徴としている。
【００１５】
第７の発明は、一端が上記ベース部側に固定され、他端が上記開口部を通って上記アーム片の先端側に取り付けられ、上記アーム片の伸張に伴って上記ベースシート側から上記アーム片の先端に向かって伸張する装飾部が設けられていることを特徴としている。
【発明の効果】
【００１６】
第１の発明によれば、それぞれ山折りと谷折りとが繰り返されて折り畳まれる第１アーム片と第２アーム片の各要素片に開口部が形成された状態で相欠き継ぎを介してＸ字状に連結されていることにより、ポップアップの中央に立体的空間が形成されるため、ポップアップ全体がより立体的な視覚効果が得られるばかりでなく、その空間内を利用してさらに凝った装飾を行うことができる。
【００１７】
第２の発明によれば、各要素片の開口部の内周面および上記要素片の外周面には、上記相欠き継ぎ用の切欠部が形成されていることにより、中央に開口部が設けられている場合であっても、簡単に相欠き継ぎで連結できる。
【００１８】
第３の発明によれば、第１アーム片および第２アーム片の各要素片が相欠き継ぎを支軸とするＸアーム構造によって連結されているため、見開きページからほぼ垂直にポップアップを伸張することができる。
【００１９】
第４の発明によれば、第１アーム片および上記第２アーム片には、上記各要素片が少なくとも１以上設けられていることにより、少なくともベースシートと、各アーム片の一部もしくは全部を１枚の紙の打ち抜きによって形成することができる。
【００２０】
第５の発明によれば、各アーム片の先端にさらに拡張アーム片を着脱可能に設けたことにより、ポップアップの展開高さを簡単に高くすることができる。
【００２１】
第６の発明によれば、所定の見開きページを有する台紙をさらに備え、いずれか一方の上記見開きページに上記第１リンクアームの自由端側が固定され、いずれか他方の上記見開きページに上記第２リンクアームの自由端側が固定されており、上記見開きページの開閉に伴い、上記各アーム片が伸張することにより、見開きページの動きに追従して無理なくポップアップを伸張することができ、さらにページ面に対してほぼ垂直に伸張することができる。
【００２２】
第７の発明によれば、一端が上記ベース部側に固定され、他端が上記開口部を通って上記アーム片の先端側に取り付けられ、上記アーム片の伸張に伴って上記ベースシート側から上記アーム片の先端に向かって伸張する装飾部が設けられていることにより、開口部によって形成された立体空間内に下から上に向かって伸びるような装飾部を組み込むことで、より視覚的に凝った作りを演出することができる。
【図面の簡単な説明】
【００２３】
【図１】本発明のポップアップ装置が組み込まれた葉書の分解斜視図。
【図２】本発明の一実施形態に係るポップアップ装置が組み込まれる葉書用台紙の展開図。
【図３】（ａ）〜（ｉ）本発明の一実施形態に係るポップアップ装置の各構成パーツの展開図。
【図４】上記ポップアップ装置の各アーム片の組立手順を説明する説明図。
【図５】上記ポップアップ装置の各リンクアームの組立手順を説明する説明図。
【図６】上記ポップアップ装置の拡張アーム片の組立手順を説明する説明図。
【図７】上記ポップアップ装置の拡張アーム片の組立手順を説明する説明図。
【図８】上記ポップアップ装置の立体装飾片の組立手順を説明する説明図。
【図９】上記ポップアップ装置の（ａ）完成状態の斜視図および（ｂ）折り畳んだ状態の斜視図。
【図１０】上記葉書の使用手順を説明する説明図。
【図１１】上記ポップアップ装置を台紙から展開した状態の模式図。
【図１２】上記ポップアップ装置を台紙から展開した状態を横から見た側面図。
【発明を実施するための形態】
【００２４】
次に、本発明の実施形態について図面を参照しながら説明するが、本発明はこれに限定されるものではない。
【００２５】
図１に示すように、このポップアップ装置１００は、一例として葉書用台紙２００に折り畳まれた状態で組み込まれている。ポップアップ装置１００の説明を始めるに先立ち、まず、葉書用台紙２００の構成について説明する。
【００２６】
図２を合わせて参照して、葉書用台紙２００は、１枚の紙製シート片からなる台紙本体２１０と、台紙本体２１０の間に挿入され、ポップアップ装置１００を収納するスペーサ２３０とを備えている。
【００２７】
台紙本体２１０は、ともに官製葉書サイズの裏台紙２１１と表台紙２１２を有し、それらが折り線Ａ１を挟んで互いに折り畳み可能に連結されている。裏台紙２１１には、後述するポップアップ装置１００の第２リンクアーム１４０の固着片１４６が固定される固定部２１３が、長手方向（図２では上下方向）の一端側に設けられている。
【００２８】
表台紙２１２には、中央に切り起し片２２０が一体的に設けられている。切り起し片２２０は、表台紙２１２の中央にコ字状に形成されたミシン目２２１と、ミシン目２２１の両端を結ぶ折り線Ａ２とによって囲まれる矩形片からなり、ミシン目２２１に沿って表台紙２１２から切り離すことで、表台紙２１２から折り線Ａ２を挟んで切り起し可能になっている。
【００２９】
切り起し片２２０の折り線Ａ２に対向する辺の角部（図２（ａ）では右上角部）には、切り起し片２２０を切り起こす際に指によって把持されるつまみ部２２２が設けられている。この例において、つまみ部２２２の周縁のミシン目２２１は、切り起しのきっかけとなるようにミシン目ではなく、連続切れ目によって表台紙２１２から切り離されている。
【００３０】
切り起し片２２０のほぼ中央には、ポップアップ装置１００の一部（例えば描かれた図柄など）を表側に見せるための開口窓２２３が設けられている。開口窓２２３は、切り起し片２２０を打ち抜いて形成された切り抜き孔に図示しない透明フィルムを貼り合わせたものからなる。本発明において、開口窓２２３は矩形状に開口されているが、その形状や大きさなどは仕様に応じて任意に変更されてよい。
【００３１】
切り起し片２２０には、ポップアップ装置１００の第２リンクアーム１４０の第２貼着片１５２が固着される固定部２２４が設けられている。第２貼着片１５２と固定部２２４とは、例えば両面粘着テープを介して固着される。
【００３２】
スペーサ２３０は、例えばボール紙などの所定厚さを有する厚紙からなり、官製葉書サイズとほぼ同じ大きさである。スペーサ２３０には、中央にポップアップ装置１００が収納される開口部２３１を有する枠状に形成されている。
【００３３】
この例において、スペーサ２３０は厚紙から構成されているが、これ以外の材質であってもよいし、開口部２３１の形状や厚さは、収納されるポップアップ装置１００の形状に合わせて任意に選択される。
【００３４】
図１に示すように、台紙本体２１０は折り線Ａ１を谷折りにして折り畳まれ、その間にスペーサ２３０が挟まれるように配置されるが、スペーサ２３０の厚さに応じて、折り線Ａ１に襠を設けておくことが好ましい。
【００３５】
次ぎに、図３（ａ）〜（ｉ）を参照して、本発明のポップアップ装置１００の具体的な構成を説明する。このポップアップ装置１００は、ベースシート１１０と、第１アーム片１２０と、第２アーム片１３０と、第１リンクアーム片１４０と、第２リンクアーム片１５０と、第１拡張アーム片１６０と、第２拡張アーム片１７０と、第３拡張アーム片１８０と、第４拡張アーム片１９０と、立体装飾片３００とから構成されている。
【００３６】
各パーツ片１１０〜１９０および装飾片３００はともに、適度な硬さの紙製シートを打ち抜き加工したものからなるが、本発明において、各パーツ片１１０〜１９０の材質や厚さなどは、仕様に応じて任意に変更されてよい。すなわち、強度を高めたい場合には、板厚を厚くすればよいし、使用場所等によっては樹脂シートなどを用いてもよい。
【００３７】
図３（ａ）を参照して、ベースシート１１０は、第１アーム片１２０に一体的に形成される第１ベースシートメンバ１１０ａと、第２アーム片１３０に一体的に形成される第２ベースシートメンバ１１０ｂとからなり、それらが互いに接合されることにより、１枚のベースシート１１０が形成されるようになっている。
【００３８】
第１ベースシートメンバ１１０ａは、ベースシート１１０のほぼ半分の大きさを有する矩形状を呈し、一端（図３（ａ）では左端）には、折り線Ｂ１を介して裏台紙２１１へ貼着するための舌片１１１が一体的に設けられている。
【００３９】
第１ベースシート１１０ａと舌片１１１との折り線Ｂ１には、後述する第２ベースシートメンバ１１０ｂと連結する際に、第２ベースシートメンバ１１０ｂの舌片１１２が挿通される挿通孔１１３が設けられている。
【００４０】
第１ベースシートメンバ１１０ａの他端（図３（ａ）では右端）には、折り線Ｂ２を介して第１アーム片１２０が形成されている。第１アーム片１２０は、ほぼ正方形状を呈し、中央には、開口部１２１が形成されている。
【００４１】
開口部１２１の幅方向（図３（ａ）では上下方向）の内周面のほぼ中央には、第２アーム片１３０側に形成された切欠部１３２，１３２と相欠き継ぎによってＸ字状に連結するための切欠部１２２，１２２が設けられている。切欠部１２２，１２２は、第１アーム片１２０の枠幅のほぼ半分の切れ目からなる。
【００４２】
第１アーム片１２０の先端（図３（ａ）では右端）には、後述する第２拡張アーム１７０の連結切欠部１７３，１７３と相欠き継ぎによって連結される連結切欠部１２３，１２３が互いに対向するように設けられている。
【００４３】
第１アーム片１２０と、第１ベースシートメンバ１１０ａの連結部である折り線Ｂ２には、後述する２つのリンクアーム１４０，１５０の各リンク片１４１（１５１，１５１）の一部が挿通される挿通孔１２４（１２５，１２５）が設けられている。各挿通孔１２４（１２５，１２５）はともに、折り線Ｂ２に沿って形成された楕円孔であって、同一形状に打ち抜かれている。
【００４４】
次に、図３（ｂ）を参照して、第２ベースシートメンバ１１０ｂおよび第２アーム片１３０の構成について説明する。第２ベースシートメンバ１１０ｂは、ベースシート１１０のほぼ半分の大きさを有する矩形状を呈し、一端（図３（ｂ）では右端）には、折り線Ｃ１を介して裏台紙２１１へ貼着するための舌片１１２が一体的に設けられている。
【００４５】
舌片１１２は、上述した第１ベースシート１１０ａと舌片１１１との折り線Ｂ１に設けられた挿通孔１１３に沿って差し込み可能な大きさを有し、一方の面が裏台紙２１１に貼着されるようになっている。
【００４６】
第２ベースシートメンバ１１０ｂの他端（図３（ｂ）では左端）には、折り線Ｃ２を介して第２アーム片１３０が一体的に形成されている。第２アーム片１３０は、ほぼ正方形状を呈し、中央には開口部１３１が形成されている。
【００４７】
第２アーム１３０の開口部１３１の内周面には、後述する立体装飾部３００の一端が固着される係止片１３６が一体的に設けられている。この例において、係止片１３６は、開口部１３１の図３（ｂ）から見て上辺に設けられているが、その取付位置は仕様に応じて任意に選択されてよい。
【００４８】
第２アーム片の幅方向（図３（ｂ）では上下方向）の外周面のほぼ中央には、第１アーム片１２０に形成された切欠部１２２，１２２と相欠き継ぎによってＸ字状に連結するための切欠部１３２，１３２が設けられている。切欠部１３２，１３２は、第２アーム片１３０の枠幅のほぼ半分の切れ目からなる。
【００４９】
第２アーム片１３０の先端（図３（ｂ）では左端）の幅方向の両端には、後述する第１拡張アーム１６０の連結切欠部１６３，１６３と相欠き継ぎによって連結される連結切欠部１３３，１３３が互いに対向するように設けられている。
【００５０】
第２アーム片１３０と、第２ベースシートメンバ１１０ｂの連結部である折り線Ｃ２には、後述する２つのリンクアーム１４０，１５０の各リンク片１４１（１５１，１５１）の一部が挿通される挿通孔１３４（１３５，１３５）が設けられている。各挿通孔１３４（１３５，１３５）はともに、折り線Ｃ２に沿って形成された楕円孔であって、同一形状に打ち抜かれている。
【００５１】
図３（ｃ）を参照して、第１リンクアーム１４０は、挿通孔１２４，１３４に挿通される第１リンク片１４１と、裏台紙２１１の固定部２１２に貼着される第１貼着片１４２とを備えている。
【００５２】
第１リンク片１４１は、第１アーム片１２０とほぼ同じ長さを有し、その先端（図３（ｃ）では右端）には、折り線Ｃ１を介して固定片１４３が形成されている。固定片１４３は、第２アーム片１３０の挿通孔１３４を通って、第２ベースシートメンバ１１０ｂの側面に固着される。
【００５３】
第１リンク片１４１の上記固定片１４３が設けられている幅方向の両端（図３（ｃ）では上下）には、第１リンク片１４１を左右に引っ張ってポップアップ装置１００を展開した際に、第１リンク片１４１の移動量を規制するストッパ片１４４，１４４が設けられている。
【００５４】
ストッパ片１４４，１４４は、折り線Ｄ２を介して第１リンク片１４１に一体的に形成されており、それらを第１リンク片１４１側に折り畳んだ状態で挿通孔１２４に通した後、再び展開することによって、ストッパ片１４４，１４４が挿通孔１２４に当接することで、第１リンク片１４１の動きが規制されるようになっている。
【００５５】
第１リンク片１４１の幅方向にはさらに、第１リンク片１４１の強度を補う第１補強片１４５が折り線Ｄ３を介して一体的に形成されている。第１補強片１４５は、アーム片の一端から他端にかけて形成され、第１リンク片１４１とほぼ同幅の矩形片である。第１補強片１４５を折り線Ｄ３に沿って第１リンク片１４１に重ねて固着することにより、第１リンク片１４１が補強されるようになっている。
【００５６】
第１リンク片１４１の長手方向の一端（図３（ｃ）では左端）には、第１貼着片１４２が折り線Ｄ４を介して一体的に形成されている。第１貼着片１４２は、第１リンク片１４１の長手方向に対して直交する方向に沿って延在するＴ字状に形成されている。第１貼着片１４２は、長手方向の長さが第１アーム片１２０の幅方向の長さとほぼ等しく形成されている。
【００５７】
第１貼着片１４２の折り線Ｄ４に対向する辺には、ポップアップ装置１００を台紙２００に固定するための貼着片１４６が折り線Ｄ５を介して一体的に形成されている。
【００５８】
図３（ｄ）を参照して、第２リンクアーム１５０は、挿通孔１２５，１２５に挿通される一対の第２リンク片１５１，１５１と、表台紙２１２に貼着される第２貼着片１５２とを備えている。
【００５９】
第２リンク片１５１，１５１は、第２アーム片１２０とほぼ同じ長さを有し、その先端（図３（ｄ）では左端）には、折り線Ｅ１を介して固定片１５３が一体的に形成されている。固定片１５３は、第１アーム片１２０の挿通孔１２５，１２５を通って、第１ベースシートメンバ１１０ａの側面に固着される。
【００６０】
第２リンク片１５１，１５１の幅方向の一端側には、第２リンク片１５１，１５１を補強する第３補強片１５４，１５４が折り線Ｅ２を介して一体的に形成されている。第３補強片１５４，１５４は、第２リンク片１５１，１５１とほぼ同じ形状を有し、折り線Ｅ２を介して各第２リンク片１５１，１５１側に折り畳まれることにより、補強されるようになっている。
【００６１】
第２貼着片１５２は、各第２リンク片１５１，１５１の一端（図３（ｄ）では右端）から折り線Ｅ３を介して連結されており、各第２リンク片１５１，１５１に対して直交する方向に延在している。なお、第２貼着片１５２にも上述した補強片と同等のものが設けられていてもよい。
【００６２】
図３（ｅ）を参照して、第１拡張アーム片１６０は、中央に開口部１６１を有する正方形の枠体状に形成されており、開口部１６１の内周面のほぼ中央には、後述する第２拡張アーム片１７０の切欠部１７２，１７２と相欠き継ぎによってＸ字状に連結するための切欠部１６２，１６２が設けられている。
【００６３】
第１拡張アーム片１６０の長手方向の一端側（図３（ｅ）では左端側）には、第２アーム片１３０の先端（図３（ｂ）では左端）に形成された連結切欠部１３３，１３３と相欠き継ぎによって連結される連結切欠部１６３，１６３が設けられている。
【００６４】
第１拡張アーム片１６０の長手方向の他端側（図３（ｅ）では右端側）には、後述する第３拡張アーム片１８０の基端側（図３（ｇ）では左端）に形成された連結切欠部１８１，１８１と相欠き継ぎによって連結される連結切欠部１６４，１６４が設けられている。
【００６５】
図３（ｆ）を参照して、第２拡張アーム片１７０は、中央に開口部１７１を有する正方形の枠体状に形成されており、外周面の幅方向（図１（ｆ）では上下方向）の両側面のほぼ中央には、上述した第１拡張アーム片１６０の切欠部１６２，１６２と相欠き継ぎによってＸ字状に連結するための切欠部１７２，１７２が設けられている。
【００６６】
第２拡張アーム片１７０の長手方向の一端側（図３（ｆ）では左端側）には、後述する第４拡張アーム片１９０の基端（図３（ｈ）では右端）に形成された連結切欠部１９１，１９１と相欠き継ぎによって連結される連結切欠部１７３，１７３が設けられている。
【００６７】
第２拡張アーム片１７０の長手方向の他端側（図３（ｅ）では右端側）には、第１アーム片１２０の先端（図３（ａ）では右端）に形成された連結切欠部１２３，１２３
と相欠き継ぎによって連結される連結切欠部１７４，１７４が設けられている。
【００６８】
図３（ｇ）を参照して、第３拡張アーム片１８０は、全体がコ字状に形成されており、幅方向（図３（ｇ）では上下方向）の基端側（図３（ｇ）では左端側）には、上述した第１拡張アーム片１６０の連結切欠部１６４，１６４と相欠き継ぎによって連結される連結切欠部１８１，１８１が設けられている。
【００６９】
第３拡張アーム１８０の自由端側（図３（ｇ）では右端側）には、第４拡張アーム片１９０に設けられた連結切欠部１９２，１９２と相欠き継ぎされる連結切欠部１８２，１８２が設けられている。
【００７０】
第３拡張アーム１８０の一方の自由端（図３（ｇ）では下側）には、後述する立体装飾片３００の先端に設けられた舌片３０３が係止される固着片１８３が設けられている。この例において、固着片１８３が龍の形状の立体装飾片３００を固定するため、所定の位置に設けられているが、固着片１８３の有無および位置は任意的事項である。
【００７１】
図３（ｈ）を参照して、第４拡張アーム片１９０は、全体がコ字状に形成されており、その基端側（図３（ｈ）では右端）には、上述した第２拡張アーム片１７０の連結切欠部１７４，１７４に相欠き継ぎによって連結される連結切欠部１９１，１９１が設けられている。
【００７２】
第４拡張アーム１９０の自由端側（図３（ｈ）では左端側）には、第３拡張アーム片１８０に設けられた連結切欠部１８２，１８２と相欠き継ぎされる連結切欠部１９２，１９２が設けられている。
【００７３】
次に、図３（ｉ）を参照して、この例において、立体装飾片３００は、龍の形を模して形成されており、一端側（図３（ｉ）では左端）に頭部３０１が形成され、複数の折り線Ｆ１〜Ｆ４によって胴部が蛇腹状に折り畳まれるようになっている。折り線Ｆ１〜Ｆ４には、折り位置を柔軟にするための脆弱手段としての抜き孔３０２がそれぞれ設けられている。これ以外の脆弱手段としてミシン目を用いてもよい。
【００７４】
立体装飾片３００の頭部３０１の一部には、立体装飾片３００をポップアップ装置１００に固定するための舌片３０３が設けられている。舌片３０３は上述した固着片１８３に例えば両面粘着テープを介して固着される。
【００７５】
立体装飾片３００の後端３０４は、上述した第２アーム片１３０の係止片１３６に両面粘着テープを介して固着されるようになっている。この例において、立体装飾片３００は、龍を模して細長い蛇腹状に形成されているが、これ以外の形状であってもよい。
【００７６】
次に、図４〜９を参照して、このポップアップ装置１００の組立手順の一例について説明する。まず図４（ａ）に示すように、第１アーム片１２０と第２アーム片１３０とを組み立てる。第１アーム片１２０を第１ベースシートメンバー１１０ａとの折り線Ｂ２に沿って山折りする。第２アーム片１３０と第２ベースシートメンバー１１０ｂとを折り線Ｃ２に沿って山折りする。
【００７７】
図４（ｂ）に示すように、第２ベースシートメンバー１１０ｂの舌片１１２を第１ベースシートメンバー１１０ａに設けられた挿通孔１１３に内側から差し込む。これにより、第１ベースシートメンバー１１０ａと第２ベースシートメンバー１１０ｂとが１枚のシートメンバー１１０として中央でＶ字状に折り曲げ可能に連結される。
【００７８】
次に、図４（ｃ）に示すように、第１アーム片１２０の開口部１２１の中に第２アーム片１３１のフレームを撓ませて入れ込んだのち、第１アーム片１２０の切欠部１２２，１２２と、第２アーム片１３０の切欠部１３２，１３２とを互いに切り欠き継ぎさせて連結する。これにより、第１アーム片１２０と第２アーム片１３０とが、中央の連結部を介してＸ字状に連結される。
【００７９】
次に、図５（ａ）〜（ｃ）を参照しなら、第１および第２リンクアーム１４０，１５０を組み込み手順について説明する。まず、各リンクアーム１４０，１５０を組み込む前に、第１リンクアーム１４０の第１補強片１４５を第１リンク片１４１に重ね合うように折り畳み貼り合わせる。
【００８０】
次に、各ストッパ片１４４，１４４を第１リンク片１４１側に折り畳んで重ね合わせた状態で、第１アーム片１２０の挿通孔１２４へ外側から差し込み、対角線上に位置する第２アーム片１３０の挿通孔１３４に固定片１４３を差し込み、固定片を第２アーム片１３０の側面に固定する。合わせて、ストッパ片１４４，１４４を元に位置に展開する。
【００８１】
同様に第２リンクアーム１５０の第３補強片１５４，１５４をリンク片１５１，１５１に重なるように折り畳んで固定する。次に、各リンク片１５１，１５１の先端を第２アーム片１３０の挿通孔１３５，１３５に外側から内側に向かって差し込み、対角線上の第１リンク片１３０の挿通孔１２５，１２５に固定片１５３，１５３を内側から差し込んで、第１リンク片１３０の側面に固定する。
【００８２】
次に、図６（ａ）〜（ｃ）を参照して、各拡張アーム片１６０〜１９０の組立手順について説明する。まず、第１拡張アーム１６０の開口部１６１の中に第２拡張アーム１７０のフレームを撓ませながら入れ、各切欠部１６２，１６２（１７２，１７２）同士を相欠き継ぎによりつなぎ合わせる。これにより、第１拡張アーム１６０と第２拡張アーム１７０とが、中央でＸ字状に連結される。
【００８３】
次に、第３拡張アーム片１８０の連結切欠部１８１を、第１拡張アーム片１６０の自由端側に形成された連結切欠部１６４に相欠き継ぎにより連結する。同様に、第４拡張アーム片１９０の連結切欠部１４１を、第２拡張アーム片１７０の自由端側に形成された連結切欠部１７４に相欠き継ぎにより連結する。
【００８４】
最後に、第３拡張アーム片１８０の自由端側の連結切欠部１８２，１８２と、第４拡張アーム片１９０の自由端側の連結切欠部１９２，１９２とを、互いに相欠き継ぎによって連結する。
【００８５】
次に、図７（ａ）〜（ｃ）に示すように、先に組み立てられた第１アーム片１２０および第２アーム片１３０に、上述した拡張アーム片１６０〜１９０を取り付ける。まず、第１アーム片１３０の自由端側に設けられた連結切欠部１２３，１２３に第２拡張アーム１７０の連結切欠部１７３，１７３を互いに相欠き継ぎによって連結する。これにより、図７（ｃ）に示すように、各アーム片同士が中央を軸とするＸアーム構造で連結される。
【００８６】
最後に、図８（ａ）〜（ｃ）に示すように、立体装飾片３００の下端３０４を第２アーム片１３０の係止片１３６に固定し、それら各アーム片の開口部１２１，１３１を通って第３拡張アーム片１８０の固着片１８３に固着されることにより、ポップアップ装置１００によって形成された中空なフレーム枠の中を龍が上るようなイメージとすることができる。
【００８７】
これにより、ポップアップ装置１００が完成するが、各アーム片同士が中央を軸とするＸアーム構造で連結されていることにより、図９に示すように、上から押さえることにより、１枚のシート体状に簡単に折り畳むことができるようになっている。
【００８８】
このポップアップ装置１００が組み込まれた葉書を使用するにあたっては、まず、図１０に示すように、つまみ部２２２から切り起し片２２０の一部をつまんで、ミシン目２２１に沿って切り起し片２２０を切り離す。
【００８９】
ミシン目２２１が切り離れた状態で、切り起し片２２０を台紙１００に対して９０°以上の開き角をもって開くと、図１１および図１２に示すように、切り起し片２２０に固定された第２リンクアーム１５０が切り起し片２２０の見開き動作に追従して外側（図１２では右側）に引っ張られる。
【００９０】
これにより、第１リンクアーム１４０が第２ベースシートメンバー１１０ｂと第２アーム片１３０との境界である折り線Ｃ２を左側に引き寄せる。また、第２リンクアーム１５０が第１ベースシートメンバー１１０ａと第１アーム片１２０との境界である折り線Ｂ２を右側に引き寄せる。
【００９１】
これにより、第１および第２アーム片１２０，１３０は中心軸（１２２，１２３）を中心とするＸアーム構造によって自由端側（１２３，１３３）が互いに近接しながら上方に持ち上げれる。
【００９２】
この第１および第２アーム片１２０，１３０の動きに追従して第１〜第４拡張アーム１６０〜１９０もＸアーム構造によって、先端が台紙１００に対してほぼ垂直に持ち上げられる。これにより、このＸアーム構造の展開動作に合わせて、立体装飾片３００である龍が台紙１００側から上方に向けて伸び上がることにより、龍が上昇するイメージをユーザに演出することができる。
【００９３】
この例において、ポップアップ装置１００は、台紙２００として葉書を例にとって説明したが、例えば絵本や雑誌等の一部に組み込まれていてもよく、その適用箇所は、仕様に応じて任意に選択可能である。
【００９４】
また、このポップアップ装置１００は水平に配置された台紙２００から下から上に向かってほぼ垂直方向に伸びる場合を例にとって説明したが、台紙２００を上にして、上から下に伸張してもよいし、例えば垂直に置かれた台紙２００からポップアップ装置１００を水平方向に展開するようにしてもよい。
【００９５】
さらに、この例において、ポップアップ装置１００は、台紙２００の見開き動作に追従して自動的に垂直方向に伸びるように設計されているが、各リンクアーム１４０，１５０を台紙１００に固定せずに、ユーザ自身が手で引っ張るなどしてもよい。また、本発明のポップアップ装置１００は、必ずしも台紙２００に組み込まれている必要はなく、単体で用いることもできる。
【００９６】
この例において、第１アーム片１２０および第２アーム片１３０は、それぞれ２カ所の折り線Ｂ１，Ｂ２（Ｃ１，Ｃ２）を介して交互に折り畳まれており、その自由端側に各拡張アーム片１６０〜１９０がそれぞれ着脱自在に連結されているが、各拡張アーム片１６０〜１９０を含めて１枚のシート体で一体成形してもよく、このような態様も本発明に含まれる。
【符号の説明】
【００９７】
１００  ポップアップ装置
１１０  ベースシート
１１０ａ  第１ベースシートメンバー
１１０ｂ  第２ベースシートメンバー
１２０  第１アーム片
１３０  第２アーム片
１４０  第１リンクアーム
１５０  第２リンクアーム
１６０  第１拡張アーム片
１７０  第２拡張アーム片
１８０  第３拡張アーム片
１９０  第４拡張アーム片
２００  台紙
２１０  台紙本体
２２０  切り起し片
２３０  スペーサ
【図１】
2013135725.tif 000003
【図２】
2013135725.tif 000004
【図３】
2013135725.tif 000005
【図４】
2013135725.tif 000006
【図５】
2013135725.tif 000007
【図６】
2013135725.tif 000008
【図７】
2013135725.tif 000009
【図８】
2013135725.tif 000010
【図９】
2013135725.tif 000011
【図１０】
2013135725.tif 000012
【図１１】
2013135725.tif 000013
【図１２】
2013135725.tif 000014